(57)【特許請求の範囲】
【請求項１】
成形製品を突き出すストリッパを有する樹脂成形金型装置において、成形製品を突き出す前記ストリッパと、前記ストリッパを固定する突き出しロッドと、前記突き出しロッドを突き出し方向とは逆の方向に付勢するリターンバネとを有する一体構造の入れ子と、金型の成形面の表側から前記入れ子を固定する可動金型と、前記突き出しロッドの下端に接触する突き出し板と、固定金型とにより樹脂成形金型装置を構成したことを特徴とする樹脂成形金型装置。
【発明の詳細な説明】
【０００１】
【発明の属する技術分野】
本発明は樹脂成形金型装置に関するものである。
【０００２】
【従来の技術】
近年、樹脂成形金型は製品の多様化に対応するため、同一金型において形状の異なる様々な入替え入れ子の入替えを行う構造の金型装置が用いられてきた。
以下に従来の樹脂成形金型装置について図３を用いて説明する。
図３は従来の金型構成を示す要部断面図である。図において、１は入替え入れ子、２は製品を突き出すストリッパ、３は可動側型板でその下面からボルト６により入れ子１を固定している。４は突き出し板上、５は突き出し板下、７は突き出しロッドで、その下端は突き出し板上４、突き出し板下５に挟み込まれて固定されている。ストリッパ２は突き出しロッド７に固定され、突き出し板より突き出しロッド７を介して製品を突き出す構造となっている。８は取付板、９は成形品、１０は入替え後の成形品の形状、１１は入替え時に入れ子１の固定とストリッパ２を受けるブロックである。
【０００３】
以下に上記構成の金型装置における入替え入れ子の入替え手順について説明する。
まず、金型を成形機から降ろし、ストリッパ２と突き出しロッド７の固定を解除し、ストリッパ２を突き出しロッドから分離し、次に、取付板８を移動し、突き出し板上４と突き出し板下５の固定を解除し、突き出し板上４から突出しロッド７を分解する。
【０００４】
次に、可動側型板３の裏面から入れ子１を固定しているボルト６を外し、入れ子１と入替えブロック１１を抜き取る。入れ子の組み込みは逆の手順で行う。
このように、従来の金型装置においては、入れ子１の入替えを行うためには、突き出し板４、５を分解しストリッパ２を固定している突き出しロッド７を突き出し板４から分解し、可動側型板３の裏面からボルトを外して入れ子を抜き取らなければならないため、その分解動作が複雑であった。
【０００５】
【発明が解決しようとする課題】
上記の従来の金型装置では、上記した通りストリッパの入替えを行うために突き出し板の分解が必要だという問題点を有していた。
本発明は上記従来の問題点を解決するもので、ストリッパの入替えを行う場合であっても、突き出し板を分解をすることなく、入れ子の入替えを行うことができる樹脂成形金型装置を提供することを目的とする。
【０００６】
【課題を解決するための手段】
この目的を達成するために本発明の樹脂成形金型装置は、成形製品を突き出すストリッパを有する樹脂成形金型装置において、成形製品を突き出す前記ストリッパと、前記ストリッパを固定する突き出しロッドと、前記突き出しロッドを突き出し方向とは逆の方向に付勢するリターンバネとを有する一体構造の入れ子と、金型の成形面の表側から前記入れ子を固定する可動金型と、前記突き出しロッドの下端に接触する突き出し板と、固定金型とにより樹脂成形金型装置を構成したことを特徴とするものである。
【０００７】
この本発明によれば、入替え入れ子とストリッパを入替えなければならない場合でも、入替え入れ子とストリッパを一体構造とし、突き出しロッドを突き出し板上に載置して定置したので、従来装置のように突き出し板を分解をすることなくストリッパを動作させることが出来るため、入替え時に成形機から金型を降ろす動作を必要とせず、短時間に入替えができる樹脂成形金型装置を提供できるものである。
【０００８】
【発明の実施の形態】
本発明の請求項１に記載の発明は、成形製品を突き出すストリッパを有する樹脂成形金型装置において、成形製品を突き出す前記ストリッパと、前記ストリッパを固定する突き出しロッドと、前記突き出しロッドを突き出し方向とは逆の方向に付勢するリターンバネとを有する一体構造の入れ子と、金型の成形面の表側から前記入れ子を固定する可動金型と、前記突き出しロッドの下端に接触する突き出し板と、固定金型とにより樹脂成形金型装置を構成したことを特徴とするものであり、入替え入れ子とストリッパを入替えなければならない場合でも、入替え入れ子とストリッパを一体構造とし、突き出しロッドを突き出し板上に載置して定置したので、従来装置のように突き出し板を分解をすることなくストリッパを動作させることが出来るため、入替え時に成形機から金型を降ろす動作を必要とせず、短時間に入替えができる作用を有する。
【０００９】
以下本発明の一実施例について、図面１，２を参照しながら説明する。
図１において、３は可動側型板、４は突き出し板上、５は突き出し板下、８は取付板、９は成形品で従来装置と同一構成である。
１２は入替え入れ子、１３はストリッパ、１４はリターンバネ、１５は突き出しロッド、１６はボルト、１７は冷却パイプである。
【００１０】
以上のように構成された樹脂成形金型について、図１を用いてその入替え手順及び金型の動作を説明する。入替え入れ子１２は図２に示すように、ストリッパ１３、突き出しロッド１５、リターンバネ１４を装着した一体構造となっており、さらに、突き出しロッド１５は、突き出し板上４上に載置した状態で定置した構造となっている。また、一体構造となっている入替え入れ子１２はボルト１６により可動側型板３の表側から締めつけられ可動側型板３に固定されている。入替えを行う場合は、ボルト１６の締着を外して、入替え入れ子１２をフリーにし、可動側型板表側から入替え入れ子１２を引き抜くことによって行われる。製品の突き出しを行うストリッパ１３は、突き出し板上４により突き出しロッド１５を介して動作し、戻りは、型締め時に押し戻される。冷却パイプは入替え入れ子を単独で冷却でき入替え時の温度差問題を解決できる。
【００１１】
以上のように本実施例によれば、ストリッパを含む入替え作業において、突き出し板を分解することなく入替えが可能となる。
【００１２】
【発明の効果】
以上のように本発明によれば、入替え入れ子とストリッパを入替えなければならない場合でも、入替え入れ子とストリッパを一体構造とし、突き出しロッドを突き出し板上に載置して定置したので、従来装置のように突き出し板を分解することなくストリッパを動作させることが出来るため、入替え時に成形機から金型を降ろす動作を必要とせず、短時間に入替えができる樹脂成形金型装置を提供できるものである。
【図面の簡単な説明】
【図１】本発明の樹脂成形金型の要部断面図である。
【図２】本発明の樹脂成形金型の入れ子一体構造を示す断面図である。
【図３】従来の樹脂成形金型の要部断面図である。
【符号の説明】
１  入れ子
２  ストリッパ
３  可動側型板
４  突き出し板上
５  突き出し板下
６  ボルト
７  突き出しロッド
８  取付板
９  成形品
１０  入替え後の成形品形状
１１  入替えブロック
１２  入替え入れ子
１３  ストリッパ
１４  リターンバネ
１５  突き出しロッド
１６  ボルト
１７  冷却パイプ
【図１】
0003908396.tif 000002
【図２】
0003908396.tif 000003
【図３】
0003908396.tif 000004